(57)【要約】【課題】利用者を飽きさせる確率を低減する。【解決手段】画像データの入力を受け付けるデータ入力部と、コンテンツを含む情報を表示する表示部と、画像データをプリントして出力するプリンタと、利用者から指示の入力を受け付ける操作部と、表示部とプリンタを制御する制御部と、を備え、制御部は、前記表示部に表示させたコンテンツに対する特別の条件が有るか否か判定し、特別の条件が有る場合、特別の条件に応じたコンテンツを、画像のプリント中に表示部に表示させ、コンテンツ表示の特別の条件が無い場合、規定のコンテンツを、画像のプリント中に表示部に表示させる。【選択図】図１
2015187774.tif 000002
【特許請求の範囲】
【請求項１】
画像データの入力を受け付けるデータ入力部と、
コンテンツを含む情報を表示する表示部と、
前記画像データに対応する画像をプリントして出力するプリンタと、
利用者から指示の入力を受け付ける操作部と、
前記表示部と前記プリンタを制御する制御部と、
を備え、
前記制御部は、前記表示部に表示させたコンテンツに対する特別の条件が有るか否か判定し、前記特別の条件が有る場合、前記特別の条件に応じたコンテンツを、前記画像のプリント中に前記表示部に表示させ、前記コンテンツ表示の特別の条件が無い場合、規定のコンテンツを、前記画像のプリント中に前記表示部に表示させる
を備える画像プリント装置。
【請求項２】
前記特別の条件は、プリント時間と前記表示部に表示するコンテンツの関係を規定し、
前記制御部は、前記画像を印刷するのに要するプリント必要時間を決定し、前記特別の条件に基づいて、前記決定した必要時間に対応するコンテンツを、前記画像データのプリント中に前記表示部に表示させる
請求項１に記載の画像プリント装置。
【請求項３】
前記指示は、プリントサイズとプリント種別の組を更に含み、
前記制御部は、前記指示に含まれるプリントサイズとプリント種別の組毎に、印刷するための画像データを生成するのに要するデータ生成時間と前記生成された画像データを印刷するのに要するプリント時間との和を算出し、前記指示に含まれる全てのプリントサイズとプリント種別の組について前記算出した和を合計した値を前記プリント必要時間に決定する
請求項２に記載の画像プリント装置。
【請求項４】
前記記憶部には、前記プリントサイズと前記１画像あたりの画像データ生成時間の関係が規定された情報が記憶されており、
前記制御部は、前記指示に含まれるプリントサイズそれぞれに対応する１画像あたりの画像データ生成時間を前記記憶部から読み出し、前記指示に含まれるプリントサイズとプリント種別の組毎に、当該組のプリントサイズでの１画像あたりの画像データ生成時間と当該組のプリントサイズでのプリント枚数とを乗算した値を前記データ生成時間に決定する
請求項３に記載の画像プリント装置。
【請求項５】
前記記憶部には、プリントサイズとプリント種別の組と、１台のプリンタによる１枚あたりのプリント時間との関係が規定された情報が記憶されており、
前記制御部は、前記指示に含まれる前記プリントサイズと前記プリント種別の組に対応する、１台のプリンタによる１枚あたりのプリント時間を前記記憶部から読み出し、前記指示に含まれるプリントサイズとプリント種別の組毎に、１台のプリンタによる１枚あたりのプリント時間を当該組のプリントサイズを印刷するプリンタの稼働台数で割り、当該組のプリントサイズで印刷する画像データのプリント枚数を乗算した値を前記プリント時間に決定する
請求項３または４に記載の画像プリント装置。
【請求項６】
前記特別の条件は、プリント料金と前記表示部に表示するコンテンツの関係を規定し、
前記制御部は、前記利用者の指示に応じて前記画像データのプリントにかかる料金を決定し、前記特別の条件に基づいて、前記決定した時間に対応するコンテンツを、前記画像データのプリント中に前記表示部に表示させる
請求項１に記載の画像プリント装置。
【請求項７】
前記特別の条件は、前記画像データを当該画像プリント装置に伝達する情報伝達手段と前記表示部に表示するコンテンツの関係を規定し、
前記制御部は、前記特別の条件に基づいて、前記画像データを前記データ入力部に入力する際に用いられる情報伝達手段に対応するコンテンツを、前記画像データのプリント中に前記表示部に表示させる
請求項１に記載の画像プリント装置。
【請求項８】
前記情報伝達手段は、メモリーカード、赤外線通信手段、または携帯端末である
請求項７に記載の画像プリント装置。
【請求項９】
前記特別の条件は、メモリーカードの種類と前記表示部に表示するコンテンツの関係を規定し、
前記制御部は、前記情報伝達手段がメモリーカードである場合、前記特別の条件に基づいて、前記メモリーカードの種類に対応するコンテンツを、前記画像データのプリント中に前記表示部に表示させる
請求項８に記載の画像プリント装置。
【請求項１０】
前記特別の条件は、前記携帯端末のオペレーティングシステムと前記表示部に表示するアプリケーションのダウンロード誘導情報の関係を規定し、
前記制御部は、前記情報伝達手段が携帯端末である場合、前記特別の条件に基づいて、前記携帯端末のオペレーティングシステムに対応する前記表示するアプリケーションのダウンロード誘導情報を前記表示部に表示させる
請求項８または９に記載の画像プリント装置。
【請求項１１】
前記特別の条件は、プリント時間と前記表示部に表示するコンテンツの関係を規定し、
前記制御部は、前記画像データのプリントに要する必要時間が経過する前に前記表示部に表示されたコンテンツが終了した場合、前記必要時間のうち、残りの画像データのプリントに要する残りプリント時間を取得し、前記特別の条件に基づいて、前記取得した残りプリント時間に対応するコンテンツを、前記残りの画像データのプリント中に前記表示部に表示させる
請求項１から１０のいずれか一項に記載の画像プリント装置。
【請求項１２】
前記操作部は、プリントして出力する画像データの指定及び指定された画像データのプリント枚数を含む指示をユーザから受け付ける
請求項１から１１のいずれか一項に記載の画像プリント装置。
【請求項１３】
画像データの入力を受け付けるデータ入力部と、コンテンツを含む情報を表示する表示部と、前記画像データに対応する画像をプリントして出力するプリンタと、利用者から指示の入力を受け付ける操作部と、前記表示部と前記プリンタを制御する制御部と、を備える画像プリント装置が実行する画像プリント方法であって、
前記制御部は、前記表示部に表示させたコンテンツに対する特別の条件が有るか否か判定し、前記特別の条件が有る場合、前記特別の条件に応じたコンテンツを、前記画像のプリント中に前記表示部に表示させ、前記コンテンツ表示の特別の条件が無い場合、規定のコンテンツを、前記画像のプリント中に前記表示部に表示させる
画像プリント方法。
【請求項１４】
画像データの入力を受け付けるデータ入力部と、コンテンツを含む情報を表示する表示部と、画像データをプリントして出力するプリンタと、利用者から指示の入力を受け付ける操作部と、を備える画像プリント装置を、
前記表示部と前記プリンタを制御する制御部、
として機能させるための制御プログラムであって、
前記制御部は、前記表示部に表示させたコンテンツに対する特別の条件が有るか否か判定し、前記特別の条件が有る場合、前記特別の条件に応じたコンテンツを、前記画像のプリント中に前記表示部に表示させ、前記コンテンツ表示の特別の条件が無い場合、規定のコンテンツを、前記画像のプリント中に前記表示部に表示させる
制御プログラム。
【発明の詳細な説明】
【技術分野】
【０００１】
本発明は、画像プリント装置、画像プリント方法及び制御プログラムに関する。
【背景技術】
【０００２】
デジタルカメラやスマートフォン等で撮影した画像のデジタルデータを読み込んでプリントして出力する画像プリント装置が様々な場所に設置されている。例えば、利用者は、デジタルカメラで撮影した画像データが記録された記録メディアを持参し、記録メディア内の画像データを画像プリント装置に読み取らせる。そして、利用者がプリントサイズやプリント枚数、撮影日付の有無などを指定すると、画像プリント装置は、高精細な印画物を出力する。
【先行技術文献】
【特許文献】
【０００３】
【特許文献１】特開２００３−３３０６８０号公報
【発明の概要】
【発明が解決しようとする課題】
【０００４】
プリントの待ち時間は、注文枚数やプリンタ稼働台数に依存し、プリント中に表示するコンテンツが一定時間のものである場合、利用者を飽きさせてしまうという問題がある。
【０００５】
本発明は、このような課題を解決し得る画像プリント装置、画像プリント方法及び制御プログラムを提供することを目的とする。
【課題を解決するための手段】
【０００６】
本発明の一態様による画像プリント装置は、画像データの入力を受け付けるデータ入力部と、コンテンツを含む情報を表示する表示部と、画像データをプリントして出力するプリンタと、利用者から指示の入力を受け付ける操作部と、前記表示部と前記プリンタを制御する制御部と、を備え、前記制御部は、前記表示部に表示させコンテンツに対する特別の条件が有るか否か判定し、前記特別の条件が有る場合、前記特別の条件に応じたコンテンツを、前記画像のプリント中に前記表示部に表示させ、前記コンテンツ表示の特別の条件が無い場合、規定のコンテンツを、前記画像のプリント中に前記表示部に表示させる。
【０００７】
本発明の一態様による前記画像プリント装置において、前記特別の条件は、プリント時間と前記表示部に表示するコンテンツの関係を規定し、前記制御部は、前記画像を印刷するのに要するプリント必要時間を決定し、前記特別の条件に基づいて、前記決定した必要時間に対応するコンテンツを、前記画像データのプリント中に前記表示部に表示させる。
【０００８】
本発明の一態様による前記画像プリント装置において、前記指示は、プリントサイズとプリント種別の組を更に含み、前記制御部は、前記指示に含まれるプリントサイズとプリント種別の組毎に、印刷するための画像データを生成するのに要するデータ生成時間と前記生成された画像データを印刷するのに要するプリント時間との和を算出し、前記指示に含まれる全てのプリントサイズとプリント種別の組について前記算出した和を合計した値を前記プリント必要時間に決定する。
【０００９】
本発明の一態様による前記画像プリント装置において、前記記憶部には、前記プリントサイズと前記１画像あたりの画像データ生成時間の関係が規定された情報が記憶されており、前記制御部は、前記指示に含まれるプリントサイズそれぞれに対応する１画像あたりの画像データ生成時間を前記記憶部から読み出し、前記指示に含まれるプリントサイズとプリント種別の組毎に、当該組のプリントサイズでの１画像あたりの画像データ生成時間と当該組のプリントサイズでのプリント枚数とを乗算した値を前記データ生成時間に決定する。
【００１０】
本発明の一態様による前記画像プリント装置において、前記記憶部には、プリントサイズとプリント種別の組と、１台のプリンタによる１枚あたりのプリント時間との関係が規定された情報が記憶されており、前記制御部は、前記指示に含まれる前記プリントサイズと前記プリント種別の組に対応する、１台のプリンタによる１枚あたりのプリント時間を前記記憶部から読み出し、前記指示に含まれるプリントサイズとプリント種別の組毎に、１台のプリンタによる１枚あたりのプリント時間を当該組のプリントサイズを印刷するプリンタの稼働台数で割り、当該組のプリントサイズで印刷する画像データのプリント枚数を乗算した値を前記プリント時間に決定する。
【００１１】
本発明の一態様による前記画像プリント装置において、前記特別の条件は、プリント料金と前記表示部に表示するコンテンツの関係を規定し、前記制御部は、前記利用者の指示に応じて前記画像データのプリントにかかる料金を決定し、前記特別の条件に基づいて、前記決定した時間に対応するコンテンツを、前記画像データのプリント中に前記表示部に表示させる。
【００１２】
本発明の一態様による前記画像プリント装置において、前記特別の条件は、前記画像データを当該画像プリント装置に伝達する情報伝達手段と前記表示部に表示するコンテンツの関係を規定し、前記制御部は、前記特別の条件に基づいて、前記画像データを前記データ入力部に入力する際に用いられる情報伝達手段に対応するコンテンツを、前記画像データのプリント中に前記表示部に表示させる。
【００１３】
本発明の一態様による前記画像プリント装置において、前記情報伝達手段は、メモリーカード、赤外線通信手段、または携帯端末である。
【００１４】
本発明の一態様による前記画像プリント装置において、前記特別の条件は、メモリーカードの種類と前記表示部に表示するコンテンツの関係を規定し、前記制御部は、前記情報伝達手段がメモリーカードである場合、前記特別の条件に基づいて、前記メモリーカードの種類に対応するコンテンツを、前記画像データのプリント中に前記表示部に表示させる。
【００１５】
本発明の一態様による前記画像プリント装置において、前記特別の条件は、携帯端末のオペレーティングシステムと前記表示部に表示するアプリケーションのダウンロード誘導画面の関係を規定し、前記制御部は、前記情報伝達手段が携帯端末である場合、前記特別の条件に基づいて、前記携帯端末のオペレーティングシステムに対応する前記表示するアプリケーションのダウンロード誘導情報を前記表示部に表示させる。
【００１６】
本発明の一態様による前記画像プリント装置において、前記特別の条件は、プリント時間と前記表示部に表示するコンテンツの関係を規定し、前記制御部は、前記画像データのプリントに要する必要時間が経過する前に前記表示部に表示されたコンテンツが終了した場合、前記必要時間のうち、残りの画像データのプリントに要する残りプリント時間を取得し、前記特別の条件に基づいて、前記取得した残りプリント時間に対応するコンテンツを、前記残りの画像データのプリント中に前記表示部に表示させる。
【００１７】
本発明の一態様による前記画像プリント装置において、前記操作部は、プリントして出力する画像データの指定及び指定された画像データのプリント枚数を含む指示をユーザから受け付ける。
【００１８】
本発明の一態様による画像プリント方法は、画像データの入力を受け付けるデータ入力部と、コンテンツを含む情報を表示する表示部と、前記画像データに対応する画像をプリントして出力するプリンタと、利用者から指示の入力を受け付ける操作部と、前記表示部と前記プリンタを制御する制御部と、を備える画像プリント装置が実行する画像プリント方法であって、前記制御部は、前記表示部に表示させたコンテンツに対する特別の条件が有るか否か判定し、前記特別の条件が有る場合、前記特別の条件に応じたコンテンツを、前記画像のプリント中に前記表示部に表示させ、前記コンテンツ表示の特別の条件が無い場合、規定のコンテンツを、前記画像のプリント中に前記表示部に表示させる。
【００１９】
本発明の一態様による制御プログラムは、画像データの入力を受け付けるデータ入力部と、コンテンツを含む情報を表示する表示部と、画像データをプリントして出力するプリンタと、利用者から指示の入力を受け付ける操作部と、を備える画像プリント装置を、前記表示部と前記プリンタを制御する制御部、として機能させるための制御プログラムであって、前記制御部は、前記表示部に表示させたコンテンツに対する特別の条件が有るか否か判定し、前記特別の条件が有る場合、前記特別の条件に応じたコンテンツを、前記画像のプリント中に前記表示部に表示させ、前記コンテンツ表示の特別の条件が無い場合、規定のコンテンツを、前記画像のプリント中に前記表示部に表示させる制御プログラムである。
【発明の効果】
【００２０】
本発明によれば、コンテンツに対する特別の条件に応じて、適切なコンテンツが表示されるので、画像データのプリント中に利用者が飽きる確率を低減することができる。
【図面の簡単な説明】
【００２１】
【図１】本実施形態に係る画像プリント装置の構成図である。
【図２】本実施形態に係る画像プリント装置の外観図である。
【図３】プリント時間と表示するコンテンツの関係を規定する設定画面例である。
【図４】プリント料金と表示するコンテンツの関係を規定する設定画面例である。
【図５】情報伝達手段と表示するコンテンツの関係を規定する設定画面例である。
【図６】画像データのプリントに要する必要時間が経過する前にタッチパネル１０に表示されたコンテンツが終了した場合の第１の例である。
【図７】画像データのプリントに要する必要時間が経過する前にタッチパネル１０に表示されたコンテンツが終了した場合の第２の例である。
【図８】本実施形態に係る画像プリントの処理の流れの一例を示すフローチャートである。
【発明を実施するための形態】
【００２２】
以下、本発明の実施の形態を図面に基づいて説明する。
【００２３】
図１は、本実施形態に係る画像プリント装置１の構成図である。図２は、本実施形態に係る画像プリント装置１の外観図である。図１に示すように、画像プリント装置１は、タッチパネル（表示部、操作部）１０、データ入力部１１、課金部１２、プリンタ１３、ＣＰＵ（Central Processing Unit）１４、ディスク装置（記憶部）１５、及びメインメモリ１６を有する。画像プリント装置１の各部はバスを介して接続されている。
【００２４】
タッチパネル１０は、画像またはコンテンツを含む情報を表示する情報を表示したり、利用者から各種指示の入力を受け付けたりする。例えば、タッチパネル１０は、プリントして出力する画像データの指定及び指定された画像データのプリント枚数を含む指令を利用者から受け付ける。図２に示すように、タッチパネル１０は、画像プリント装置の筐体１の上部に設けられている。
【００２５】
データ入力部１１は、デジタルカメラ等で撮影した画像データが記録された記録媒体から画像データを読み取ることで、画像データの入力を受け付ける。図２に示すように、データ入力部１１は、筐体１の上部に設けられ、様々な記録媒体に対応したデータ読取装置を有している。なお、データ入力部１１は、赤外線通信又は無線通信で画像データの入力を受け付けてもよい。
【００２６】
図１に示すように、課金部１２は、印字部１２１を有し、投入金額、釣銭額、後述する注文内容、エラーに関する情報をレシートに印字し、出力する。また、課金部１２は、図２に示すような硬貨投入口１２Ａ、紙幣挿入口１２Ｂ、釣銭返却口１２Ｃを有しており、硬貨投入口１２Ａ及び紙幣挿入口１２Ｂから投入された貨幣を識別計数し、釣銭を釣銭返却口１２Ｃから放出する。また、課金部１２は、電子マネーによる支払い処理を行えるものでもよい。
【００２７】
プリンタ１３は、昇華型又はインクジェット型の高解像度カラープリンタであり、後述する注文内容に基づいて、画像データをプリントして出力する。プリント物は、図２に示すプリント物取出口１３Ａから放出される。
【００２８】
ディスク装置１５は、画像処理プログラム、制御プログラム、及び画像データに対して合成可能な素材画像データを格納する。ディスク装置１５は、例えばハードディスクドライブである。
【００２９】
ＣＰＵ１４は、ディスク装置１５内の画像処理プログラムをメインメモリ１６にロードして、画像処理プログラムを実行する。画像処理プログラムの実行に伴い、メインメモリ１６上には、入力された画像データ、注文内容などを格納する領域が確保される。
【００３０】
ＣＰＵ１４は、ディスク装置１５内の制御プログラムをメインメモリ１６にロードして、制御プログラムを実行することで、制御部１４１として機能する。制御部１４１は、タッチパネル１０、課金部１２及びプリンタ１３を制御する。
【００３１】
制御部１４１は、タッチパネル１０に表示させたコンテンツに対する特別の条件が有るか否か判定し、特別の条件が有る場合、特別の条件に応じたコンテンツを、画像データのプリント中にタッチパネル１０に表示させ、コンテンツ表示の特別の条件が無い場合、規定のコンテンツを、画像データのプリント中にタッチパネル１０に表示させる。
【００３２】
特別の条件は、例えば、プリント時間とタッチパネル１０に表示するコンテンツの関係を規定する場合がある。その場合、制御部１４１は、画像データを印刷するのに要するプリント必要時間を決定し、上記特別の条件に基づいて、決定した必要時間に対応するコンテンツを、画像データのプリント中にタッチパネル１０に表示させる。
【００３３】
図３は、プリント時間と表示するコンテンツの関係を規定する設定画面例である。図３の設定画面Ｇ１に示すように、プリントサイズが「Ｌ」の場合に、プリント時間と表示するコンテンツの関係とを設定可能になっている。例えば、プリント時間が「１０〜３０秒」である場合、表示するコンテンツを「１画面広告Ａ」に設定するが、プリント時間が「３０〜９０秒」である場合、表示するコンテンツを「神経衰弱ゲームＡ」に設定する。このようにプリント時間が長くなるほど、利用者が見るまたはプレイするのに時間がかかるコンテンツを設定できる。これにより、利用者を飽きさせる確率を低減することができる。
【００３４】
利用者からの指示は、プリントサイズとプリント種別の組を更に含む場合がある。ここで、プリント種別は、印刷処理の種類であり、例えば、光沢印刷またはマット印刷が選択可能である。その場合、制御部１４１は、この指示に含まれるプリントサイズとプリント種別の組毎に、印刷するための画像データを生成するのに要するデータ生成時間Ｔ１と生成された画像データを印刷するのに要するプリント時間Ｔ２との和Ｔ３（＝Ｔ１＋Ｔ２）を算出し、この指示に含まれる全てのプリントサイズとプリント種別の組について算出した和Ｔ３を合計した値Ｔ４をプリント必要時間に決定する。
【００３５】
（データ生成時間Ｔ１の算出方法の詳細）
以下、データ生成時間Ｔ１の算出方法の詳細の一例について説明する。ここで、ディスク装置１５には、プリントサイズと１画像あたりの画像データ生成時間ｔ１の関係が規定された情報が記憶されていることを前提とする。その前提で、制御部１４１は、上記利用者の指示に含まれるプリントサイズそれぞれに対応する１画像あたりの画像データ生成時間ｔ１をディスク装置１５から読み出し、この利用者の指示に含まれるプリントサイズとプリント種別の組毎に、当該組のプリントサイズでの１画像あたりの画像データ生成時間ｔ１と当該組のプリントサイズでのプリント枚数Ｎ１とを乗算した値をデータ生成時間Ｔ１（＝ｔ１×Ｎ１）に決定する。
【００３６】
（プリント時間Ｔ２の算出方法の詳細）
以下、プリント時間Ｔ２の算出方法の詳細の一例について説明する。ここで、ディスク装置１５には、プリントサイズとプリント種別の組と、１台のプリンタによる１枚あたりのプリント時間ｔ２との関係が規定された情報が記憶されていることを前提とする。この前提で、制御部１４１は、上記利用者の指示に含まれるプリントサイズとプリント種別の組に対応する、１台のプリンタによる１枚あたりのプリント時間Ｔ２をディスク装置１５から読み出し、この指示に含まれるプリントサイズとプリント種別の組毎に、１台のプリンタによる１枚あたりのプリント時間ｔ２を当該組のプリントサイズを印刷するプリンタの稼働台数Ｍで割り、当該組のプリントサイズで印刷する画像データのプリント枚数Ｎ２を乗算した値をプリント時間Ｔ２（＝ｔ２／Ｍ×Ｎ２）に決定する。
【００３７】
ここで、特別の条件は、プリント料金とタッチパネル１０に表示するコンテンツの関係を規定する場合がある。その場合、制御部１４１は、上記利用者の指示に応じて画像データのプリントにかかる料金を決定し、特別の条件に基づいて、決定した時間に対応するコンテンツを、画像データのプリント中にタッチパネル１０に表示させる。
【００３８】
図４は、プリント料金と表示するコンテンツの関係を規定する設定画面例である。図４の設定画面Ｇ２に示すように、プリント料金と表示するコンテンツの関係とを設定可能になっている。例えば、プリント料金が「３０〜３００円」である場合、表示するコンテンツを「１画面広告Ａ」に設定するが、プリント料金が「３０１〜６００円」である場合、表示するコンテンツを「クーポン画像Ａ」に設定する。
【００３９】
このように、プリント料金が閾値（ここでは３００円）を超えた場合、クーポン画像を表示して、利用者の注意を引き、利用者が飽きるのを低減することができる。
【００４０】
また、図４に示すように、例えば、プリント料金が「６０１円以上」の場合、表示するコンテンツを「クーポン画像Ｂ」に設定する。このように、プリント料金に応じて、表示するクーポン画像を変更するように設定可能である。これにより、プリント料金が高くなるほど、景品を高価にしたり、割引率を高くしたりすることができる。すなわち、プリント料金が高くなるほど、利用者へのサービスが手厚くなるようにすることができる。
【００４１】
ここで、特別の条件は、画像データを当該画像プリント装置１に伝達する情報伝達手段とタッチパネル１０に表示するコンテンツの関係を規定する場合がある。情報伝達手段は、例えば、メモリーカード、赤外線通信手段、または携帯端末である。ここで、携帯端末は、出力手段または通信手段を備え、出力手段から画像データを配線を介して画像プリント装置１に伝達するか、または通信手段から画像データを画像プリント装置１に送信する。この送信は、無線送信であっても、有線送信であってもよい。
【００４２】
この場合、制御部１４１は、この特別の条件に基づいて、画像データをデータ入力部１１に入力する際に用いられる情報伝達手段に対応するコンテンツを、画像データのプリント中にタッチパネル１０に表示させる。
【００４３】
図５は、情報伝達手段と表示するコンテンツの関係を規定する設定画面例である。図５の設定画面Ｇ３に示すように、データ入力部１１に入力する際に用いられる情報伝達手段が「ＳＤカード」である場合、表示するコンテンツは、「コンパクトデジタルカメラ広告」である。これは、ＳＤカードは、コンパクトデジタルカメラでよく利用されているので、ＳＤカードを情報伝達手段として使用する利用者へは、コンパクトデジタルカメラの広告が、広告効果が高いと考えられるからである。
【００４４】
一方、情報伝達手段が「ＣＦカード」である場合、表示するコンテンツは、「デジタル一眼レフカメラ広告」である。これは、ＣＦカードは、デジタル一眼レフカメラでよく利用されているので、ＣＦカードを情報伝達手段として使用する利用者へは、デジタル一眼レフカメラの広告が、広告効果が高いと考えられるからである。
【００４５】
このように、特別の条件は、メモリーカードの種類とタッチパネル１０に表示するコンテンツの関係を規定する場合がある。このとき、制御部１４１は、情報伝達手段がメモリーカードである場合、この特別の条件に基づいて、メモリーカードの種類に対応するコンテンツを、画像データのプリント中にタッチパネル１０に表示させる。
【００４６】
情報伝達手段が「ｉＰｈｏｎｅ（登録商標）」の場合、表示するコンテンツは、「ｉＰｈｏｎｅ（登録商標）用のアプリダウンロード誘導画面」である。これは、ｉＰｈｏｎｅ（登録商標）を使用する利用者へ、ｉＰｈｏｎｅ（登録商標）用のアプリのダウンロードを誘導するためである。
【００４７】
一方、情報伝達手段が「Ａｎｄｒｏｉｄ（登録商標）」が搭載された携帯端末の場合、表示するコンテンツは、「Ａｎｄｒｏｉｄ（登録商標）用のアプリダウンロード誘導画面」である。これは、Ａｎｄｒｏｉｄ（登録商標）が搭載された携帯端末を使用する利用者へ、Ａｎｄｒｏｉｄ（登録商標）のアプリのダウンロードを誘導するためである。
【００４８】
このように、特別の条件は、携帯端末のオペレーティングシステム（ＯＳ）とタッチパネル１０に表示するアプリケーションのダウンロード誘導情報の関係を規定する場合がある。このとき、制御部１４１は、情報伝達手段が携帯端末である場合、この特別の条件に基づいて、携帯端末のオペレーティングシステムに対応するアプリケーションのダウンロード誘導画面をタッチパネル１０に表示させる。
【００４９】
（画像データのプリントに要する必要時間が経過する前にコンテンツが終了した場合の処理）
続いて、画像データのプリントに要する必要時間が経過する前にタッチパネル１０に表示されたコンテンツが終了した場合の処理について説明する。図３のように、特別の条件が、プリント時間とタッチパネル１０に表示するコンテンツの関係を規定している場合に、制御部１４１は、画像データのプリントに要する必要時間が経過する前にタッチパネル１０に表示されたコンテンツが終了した場合、上記必要時間のうち、残りの画像データのプリントに要する残りプリント時間を取得してもよい。そして、制御部１４１は、特別の条件に基づいて、取得した残りプリント時間に対応するコンテンツを、残りの画像データのプリント中にタッチパネル１０に表示させてもよい。
【００５０】
図６は、画像データのプリントに要する必要時間が経過する前にタッチパネル１０に表示されたコンテンツが終了した場合の第１の例である。図６に示すように、プリントに要する必要時間が６０秒であり、プリント開始時に、６０秒用のコンテンツを表示開始した場合を想定する。その想定で、プリント開始から３０秒経過したときに、コンテンツ（例えば、ゲーム）が想定より早く終了したか、または利用者が途中でキャンセルした場合、制御部１４１は、残りプリント時間として３０（＝６０−３０）秒を取得し、３０秒用のコンテンツ表示に切り替える。
【００５１】
図７は、画像データのプリントに要する必要時間が経過する前にタッチパネル１０に表示されたコンテンツが終了した場合の第２の例である。図７に示すように、プリントに要する必要時間が６０秒であり、プリント開始時に、６０秒用のコンテンツを表示開始する。そして、プリント開始から３０秒経過したときに、プリンタクーリング処理を検出した場合、制御部１４１は、残りプリント時間を９０秒に増加させる。このときに、コンテンツ（例えば、ゲーム）が想定より早く終了したか、または利用者が途中でキャンセルした場合、制御部１４１は、残りプリント時間として９０秒を取得し、９０秒用のコンテンツ表示に切り替える。
【００５２】
続いて、図８を用いて、本実施形態に係る画像プリントの処理の流れを説明する。図８は、本実施形態に係る画像プリントの処理の流れの一例を示すフローチャートである。
【００５３】
（ステップＳ１０１）まず、データ入力部１１は、画像データの入力を受け付ける。
【００５４】
（ステップＳ１０２）次に利用者が、タッチパネル１０を操作して、画像の合成及び編集の指示を行う。この指示に応じて、ＣＰＵ１４は、画像の合成及び編集を実行する。
【００５５】
（ステップＳ１０３）次に利用者が、タッチパネル１０を操作して、プリントして出力する画像データの指定、指定した画像データのプリント枚数の入力、プリントサイズの指定等を行う。これにより、制御部１４１は、利用者から注文内容を受け付ける。
【００５６】
（ステップＳ１０４）次に利用者が、注文内容に応じた貨幣を投入する。そして、課金部１２は、貨幣の計数、釣銭出金、レシートの印字等を行う。
【００５７】
（ステップＳ１０５）次に制御部１４１は、プリンタ１３に、注文内容に基づいて画像データのプリントを実行させる。
【００５８】
（ステップＳ１０６）次に制御部１４１は、タッチパネル１０に表示されたコンテンツに対する特別の条件があるか否か判定する。
【００５９】
（ステップＳ１０７）ステップＳ１０６でコンテンツに対する特別の条件がないと判定された場合、制御部１４１は、規定のコンテンツをタッチパネル１０に表示させる。
【００６０】
（ステップＳ１０８）制御部１４１は、全てのプリントが完了したか否か判定する。全てのプリントが完了した場合、その処理を終了する。一方、全てのプリントが完了していない場合、制御部１４１は、プリントを継続する。
【００６１】
（ステップＳ１０９）ステップＳ１０６でコンテンツに対する特別の条件があると判定された場合、制御部１４１は、プリント時間に対応するコンテンツを決定する。
【００６２】
（ステップＳ１１０）制御部１４１は、ステップＳ１０９で決定したコンテンツをタッチパネル１０に表示させる。
【００６３】
（ステップＳ１１１）制御部１４１は、全てのプリントが完了したか否か判定する。全てのプリントが完了した場合、その処理を終了する。
【００６４】
（ステップＳ１１２）ステップＳ１１１で全てのプリントが完了していないと判定された場合、制御部１４１は、コンテンツが終了したか、または途中で利用者によりキャンセルされたか否か判定する。コンテンツが終了しておらず、且つ途中で利用者によりキャンセルされてもいない場合、制御部１４１は、ステップＳ１１１の処理に戻る。
【００６５】
（ステップＳ１１３）ステップＳ１１２で、コンテンツが終了したか、または途中で利用者によりキャンセルされたと判定された場合、制御部１４１は、残りプリント時間に対応するコンテンツを決定する。そして、制御部１４１は、ステップＳ１１０に戻って、この決定したコンテンツをタッチパネル１０に表示させる。
【００６６】
以上のように、本実施形態に係る画像プリント装置は、画像データの入力を受け付けるデータ入力部１１と、画像データをプリントして出力するプリンタ１３と、コンテンツを含む情報を表示し、且つ利用者から指示の入力を受け付けるタッチパネル１０と、タッチパネル１０とプリンタ１３を制御する制御部１４１と、を備える。そして、制御部１４１は、コンテンツに対する特別の条件が有るか否か判定し、特別の条件が有る場合、特別の条件に応じたコンテンツを、画像データのプリント中にタッチパネル１０に表示させ、コンテンツに対する特別の条件が無い場合、規定のコンテンツを、画像データのプリント中にタッチパネル１０に表示させる。
【００６７】
従って、コンテンツに対する特別の条件に応じて、適切なコンテンツが表示されるので、画像データのプリント中に利用者が飽きる確率を低減することができる。
【００６８】
なお、各実施形態の制御部１４１の各処理を実行するための制御プログラムをコンピュータ読み取り可能な記録媒体に記録して、当該記録媒体に記録された制御プログラムをコンピュータシステムに読み込ませ、プロセッサが実行することにより、本実施形態の制御部１４１に係る上述した種々の処理を行ってもよい。
【００６９】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７０】
１  画像プリント装置
１０  タッチパネル（表示部、操作部）
１１  データ入力部
１２  課金部
１３  プリンタ
１４  ＣＰＵ（Central Processing Unit）
１４１  制御部
１５  ディスク装置（記憶部）
１６  メインメモリ
【図１】
2015187774.tif 000003
【図２】
2015187774.tif 000004
【図３】
2015187774.tif 000005
【図４】
2015187774.tif 000006
【図５】
2015187774.tif 000007
【図６】
2015187774.tif 000008
【図７】
2015187774.tif 000009
【図８】
2015187774.tif 000010